(57)【要約】【課題】ＩＴリテラシの初心者に対し、習得コストを抑えた上で、各銘柄の金融情報を閲覧させること。【解決手段】株情報閲覧装置１（金融情報表示装置）は、複数の銘柄についての金融情報が印字されている紙面９を、撮影データ１２から平面として検出する平面検出部１４と、各銘柄の印字位置を示す紙面マップ２５と、各銘柄についての表示用データ２６とを記憶部から読み取り、撮影データ１２の紙面９に写っている各銘柄について、紙面マップ２５が示す検出された平面上の位置に、読み取った表示用データ２６を重ねて表示する紙面拡張表示部１５とを有する。紙面拡張表示部１５は、読み取った表示用データ２６が示す数値に応じた長さのグラフを、検出された平面に対して垂線となり、その垂線と検出された平面との交点が紙面マップ２５が示す位置となるように配置する。【選択図】図３
2018195233.tif 000002
【特許請求の範囲】
【請求項１】
複数の銘柄についての金融情報が印字されている紙面を、撮影データから平面として検出する平面検出部と、
各銘柄の印字位置を示すマップ情報と、各銘柄についての金融情報とを記憶部から読み取り、前記撮影データの前記紙面に写っている各銘柄について、前記マップ情報が示す検出された平面上の位置に、読み取った金融情報を重ねて表示する紙面拡張表示部と、を有することを特徴とする
金融情報表示装置。
【請求項２】
前記紙面拡張表示部は、読み取った金融情報を前記平面上の位置に重ねて表示するときに、読み取った金融情報が示す数値に応じた長さのグラフを、検出された平面に対して垂線となり、その垂線と検出された平面との交点が前記マップ情報が示す位置となるように配置することを特徴とする
請求項１に記載の金融情報表示装置。
【請求項３】
前記紙面拡張表示部は、読み取った金融情報を前記平面上の位置に重ねて表示するときに、読み取った金融情報が示す数値に応じた色情報の平面を前記マップ情報が示す位置に重ねるヒートマップの表示とすることを特徴とする
請求項１に記載の金融情報表示装置。
【請求項４】
前記金融情報表示装置は、さらに、操作受付部を有しており、
前記操作受付部は、金融情報が示す数値の範囲を絞り込むための範囲指定手段を介して受け付けた数値の範囲をもとに、読み取った金融情報の各銘柄を前記紙面拡張表示部に表示させるか否かを決定することを特徴とする
請求項１ないし請求項３のいずれか１項に記載の金融情報表示装置。
【請求項５】
前記金融情報表示装置は、さらに、操作受付部を有しており、
前記操作受付部は、前記グラフを表示するときの長さの倍率情報を受け付けるための倍率指定手段を介して受け付けた倍率の長さで、前記グラフを前記紙面拡張表示部に表示させることを特徴とする
請求項２に記載の金融情報表示装置。
【請求項６】
前記金融情報表示装置は、さらに、操作受付部を有しており、
前記操作受付部は、表示対象とする金融情報の種類を指定するための種類指定手段を介して指定された種類の金融情報を、前記紙面拡張表示部に表示させることを特徴とする
請求項１ないし請求項３のいずれか１項に記載の金融情報表示装置。
【請求項７】
コンピュータを、請求項１ないし請求項６のいずれか１項に記載の金融情報表示装置として機能させるための金融情報表示プログラム。
【発明の詳細な説明】
【技術分野】
【０００１】
本発明は、金融情報表示装置、および、金融情報表示プログラムの技術に関する。
【背景技術】
【０００２】
「貯蓄から資産形成へ」の流れの中で、インターネット上に多くの金融情報サービスが存在し、最新の金融情報を提供したり、オンライン取引の窓口となったりしている。
金融情報サービスとして、各銘柄の株情報の表示画面を見やすく加工する試みもなされている。例えば、特許文献１には、Ｘ軸、Ｙ軸、Ｚ軸の３Ｄ空間内に各銘柄の表示データを配置して表示する株情報表示システムが記載されている。これにより、ユーザは多くの情報を一つの画面から得られる。
【先行技術文献】
【特許文献】
【０００３】
【特許文献１】特開２００３−１８７０７８号公報
【発明の概要】
【発明が解決しようとする課題】
【０００４】
各種の金融情報サービスは、金融知識やＩＴリテラシの比較的高い投資家にとっては使いやすいものの、それらに乏しい初心者には導入への心理的負担がある。例えば、ＩＴリテラシの初心者として、金融資産を多く保持しているものの、パソコン操作やキーボード入力などが苦手な中高年層が存在する。これらの多くの金融資産を保持しているプレイヤーを市場に多数参加させることで、市場全体が活性化する。
また、金融情報になじみの薄い学生なども、金融情報を学習するための教材として、金融情報サービスを利用したいというニーズもある。
そこで、ＩＴリテラシの初心者である投資家に対し、習得コストを抑えた上で、各銘柄の金融情報を効率的に閲覧するしくみが求められる。
【０００５】
特許文献１のような従来型の金融情報サービスでは、デイトレーダなどのコンピュータ操作に長けた熟練者を対象とし、なるべく多くの金融情報をなるべく効率的に提供するという観点での機能拡張はなされてきた。しかし、従来型の金融情報サービスは、初心者を円滑に金融情報サービスに参加させるしくみは考慮されていなかった。
【０００６】
そこで、本発明は、ＩＴリテラシの初心者に対し、習得コストを抑えた上で、各銘柄の金融情報を閲覧させることを、主な課題とする。
【課題を解決するための手段】
【０００７】
前記課題を解決するために、本発明の金融情報表示装置は、平面検出部と、紙面拡張表示部とを有する。
前記平面検出部は、複数の銘柄についての金融情報が印字されている紙面を、撮影データから平面として検出する。
前記紙面拡張表示部は、各銘柄の印字位置を示すマップ情報と、各銘柄についての金融情報とを前記記憶部から読み取り、前記撮影データの前記紙面に写っている各銘柄について、前記マップ情報が示す検出された平面上の位置に、読み取った金融情報を前記平面上の位置に重ねて表示する。
【０００８】
これにより、利用者は、紙面に記載された各銘柄の金融情報だけでなく、その紙面の平面に拡張現実サービスとして生成された銘柄に関する詳細な情報に手軽にアクセスできる。よって、ＩＴリテラシの初心者に対し、習得コストを抑えた上で、各銘柄の金融情報を閲覧させることができる。
【０００９】
本発明は、前記紙面拡張表示部が、読み取った金融情報を前記平面上の位置に重ねて表示するときに、読み取った金融情報が示す数値に応じた長さのグラフを、検出された平面に対して垂線となり、その垂線と検出された平面との交点が前記マップ情報が示す位置となるように配置することを特徴とする。
【００１０】
これにより、紙面の平面上にグラフがせり上がったような表示を参照することで、株価などの数字を読むよりも直観的に市場の動向を把握することができる。
【００１１】
本発明は、前記紙面拡張表示部が、読み取った金融情報を前記平面上の位置に重ねて表示するときに、読み取った金融情報が示す数値に応じた色情報の平面を前記マップ情報が示す位置に重ねるヒートマップの表示とすることを特徴とする。
【００１２】
これにより、紙面の平面上が銘柄の領域ごとに着色されるので、株価などの数字を読むよりも直観的に市場の動向を大まかに（業種ごとに）把握することができる。
【００１３】
本発明は、前記金融情報表示装置が、さらに、操作受付部を有しており、
前記操作受付部が、金融情報が示す数値の範囲を絞り込むための範囲指定手段を介して受け付けた数値の範囲をもとに、読み取った金融情報の各銘柄を前記紙面拡張表示部に表示させるか否かを決定することを特徴とする。
【００１４】
これにより、金融情報としての例えば株価データにおいて、株価が所望の範囲の上昇幅や下降幅の銘柄のみを効率的に抽出して表示させることができる。よって、利用者は表示された各銘柄を参照することで、今まで注目していなかった銘柄を新たに発見できる。
【００１５】
本発明は、前記金融情報表示装置が、さらに、操作受付部を有しており、
前記操作受付部が、前記グラフを表示するときの長さの倍率情報を受け付けるための倍率指定手段を介して受け付けた倍率の長さで、前記グラフを前記紙面拡張表示部に表示させることを特徴とする。
【００１６】
これにより、多くの銘柄を１画面で表示させたいときには低倍率で、少ない銘柄を詳細に比較したいときには高倍率で、などの銘柄間の比較を効率的に実現できる。
【００１７】
本発明は、前記金融情報表示装置が、さらに、操作受付部を有しており、
前記操作受付部が、表示対象とする金融情報の種類を指定するための種類指定手段を介して指定された種類の金融情報を、前記紙面拡張表示部に表示させることを特徴とする。
【００１８】
これにより、紙面の株価欄では株価しか印字されていなくても、ROE（Return On Equity）などの紙面に印字されていない財務データやその銘柄に関連するニュースデータなどの他の金融情報も、併せて確認することができる。
【発明の効果】
【００１９】
本発明によれば、ＩＴリテラシの初心者に対し、習得コストを抑えた上で、各銘柄の金融情報を閲覧させることができる。
【図面の簡単な説明】
【００２０】
【図１】本実施形態に係わる株情報閲覧装置の利用者の外観図である。
【図２】本実施形態に係わる株情報閲覧装置のハードウェア構成図である。
【図３】本実施形態に係わる株情報閲覧システムの構成図である。
【図４】本実施形態に係わる紙面の各印字欄を示す平面図である。
【図５】本実施形態に係わる紙面マップの構成図である。
【図６】本実施形態に係わる表示用データの構成図である。
【図７】本実施形態に係わる紙面を遠くから俯瞰したときの株情報閲覧装置の表示画面例である。
【図８】本実施形態に係わる図７に対して、株情報閲覧装置を紙面に近づけたときの表示画面例である。
【図９】本実施形態に係わる図８に対して、株価バーを等高型の表示色にしたときの表示画面例である。
【図１０】本実施形態に係わる操作受付部が受け付ける各種操作と、その操作内容に応じて変化する表示画面の説明図である。
【図１１】本実施形態に係わる高さ倍率ダイアルで倍率０倍が指定されたときのヒートマップ表示の表示画面例である。
【図１２】本実施形態に係わる図１１のヒートマップ表示の平面図である。
【発明を実施するための形態】
【００２１】
以下、本発明の一実施形態について、図面を参照して詳細に説明する。
【００２２】
図１は、株情報閲覧装置（金融情報表示装置）１の利用者の外観図である。
株情報閲覧装置１は、現実社会に存在する紙面９と、ＣＧ（Computer Graphics）として生成されたデジタル表現とを重ね合わせた表示画面を、利用者に提供するＡＲ（Augmented Reality）のデバイスである。株情報閲覧装置１は、例えば、高性能かつ高機能なカメラ付きスマートフォンやタブレットとして提供される。このような把持が容易なコンピュータの普及により、老若男女を問わず手軽に拡張現実サービスを利用できる環境が整いつつある。
【００２３】
なお、拡張現実サービスは、ゲームや一部のアトラクションなどのエンターテイメント分野では活用例が多い。一方、紙面９に記載された株式欄の閲覧を補助するデバイスとして、本実施形態では拡張現実サービスを活用する。老人などの最新のデバイスに不慣れな利用者であっても、すでに慣れている紙面９の媒体をベースとするので、デバイス導入への心理的負担が少ない。
そして、利用者は、株情報閲覧装置１を介して、紙面９上の情報だけでなく、その銘柄に関する詳細な情報に手軽にアクセスできる。つまり、紙面９に記載された銘柄のリストが、インターネット上の銘柄に関する詳細な情報にアクセスするためのポータルサイトとして機能するように、株情報閲覧装置１を利用させる。
【００２４】
図２は、株情報閲覧装置１のハードウェア構成図である。株情報閲覧装置１は、ＣＰＵ（Central Processing Unit）９１と、揮発性メモリ９２と、カメラデバイス９３と、入力デバイス９４と、ディスプレイ９５と、ネットワークインタフェース９６と、不揮発性メモリ９７とがシステムバスで接続されて構成されるコンピュータである。
揮発性メモリ９２は、ＲＡＭ（Random Access Memory）などで構成される記憶部である。
入力デバイス９４は、外部入力を受け付ける。
ディスプレイ９５は、紙面９を背景とし、その背景に重ねて各種株情報を表示する。
ネットワークインタフェース９６は、外部ネットワーク９８との接続をするためのインタフェースである。
不揮発性メモリ９７は、ＨＤＤ（Hard Disk Drive）などで構成される記憶部である。
【００２５】
カメラデバイス９３は、紙面９などの外部画像を撮影する。なお、利用者が株情報閲覧装置１の空間位置や空間角度を随時変更するため、カメラデバイス９３のカメラ性能（特に追従速度などのオートフォーカス性能）は高い方が望ましい。また、紙面９の記載内容の認識精度を上げるために、紙面９の周囲には充分な光量があると望ましい。さらに、紙面９に折れ目や影が入ると誤認識しやすいため、紙面９はあらかじめ平面になるように伸ばした状態とすることが望ましい。
【００２６】
なお、株情報閲覧装置１をスマートフォンやタブレットなどの板型デバイスとして構成する場合には、入力デバイス９４とディスプレイ９５とは、タッチパネルとして構成される。
また、株情報閲覧装置１をＡＲデバイスの代わりに、マイクロソフト社が提供するホロレンズ（登録商標）などのＭＲ（Mixed Reality）デバイスとして提供する場合には、利用者の頭部に装着させ、情報の表示領域が透過で紙面９を背景として視認可能なディスプレイ９５を用いてもよい。
【００２７】
図３は、株情報閲覧システムの構成図である。株情報閲覧システムは、図１で前記した紙面９を閲覧するための株情報閲覧装置１に加え、紙面９に記載された各種情報を株情報閲覧装置１に提供する株情報提供装置２と、各銘柄に関する詳細な情報を追加表示用データ３１として株情報閲覧装置１に提供する追加情報提供装置３とを含めて構成される。
なお、図２の外部ネットワーク９８を介して株情報提供装置２の情報および追加情報提供装置３の情報が株情報閲覧装置１に送信されることとしたが、これらの情報を格納するmicroSD（登録商標）などの記憶媒体を介して、株情報閲覧装置１に読み込ませてもよい。
【００２８】
株情報閲覧装置１は、紙面撮影部１１と、撮影データ１２を格納する記憶部と、紙面特定部１３と、平面検出部１４と、紙面拡張表示部１５と、操作受付部１６とを各処理部として有している。各処理部は図２に示す揮発性メモリ９２または不揮発性メモリ９７から読み込まれたプログラム（金融情報表示プログラム）が、ＣＰＵ９１に実行されることで、具現化される。以下では株情報閲覧装置１の各処理部の概要を記載し、その各処理部の詳細は後記する。
紙面撮影部１１は、カメラデバイス９３を介して紙面９を撮影し、その撮影結果を撮影データ１２として揮発性メモリ９２または不揮発性メモリ９７に格納する。
紙面特定部１３は、撮影データ１２に写っている紙面９が、複数の紙面９の候補のうちのどの紙面９かを、紙面特定用データ２３をもとに特定する。
【００２９】
平面検出部１４は、特定された紙面９の紙面マーカ２４を撮影データ１２から認識することにより、撮影データ１２の空間内に紙面９の平面がどのように（どの位置、どの角度で、どの撮影範囲で）配置されているかを検出する。
紙面拡張表示部１５は、撮影データ１２から検出された紙面９の平面に対して、紙面マップ２５に従った各銘柄の表示位置に従って、表示用データ２６をディスプレイ９５に表示する。
操作受付部１６は、表示された表示用データ２６への各種操作を入力デバイス９４から受け付けると、その操作内容が反映された表示画面を紙面拡張表示部１５に表示させる。
【００３０】
株情報提供装置２には、紙面９の記載内容を示すデータとして、紙面特定用データ２３と、紙面マーカ２４と、紙面マップ２５と、表示用データ２６とが管理者などによりあらかじめ入力されている。これらの各データの詳細を、図４〜図６を参照して説明する。
【００３１】
図４は、紙面９の各印字欄を示す平面図である。ここでは、株価欄の左上側を抜粋した。
紙面９には、市場見出し欄６１と、紙面日付欄６２と、業種見出し欄６３と、個別銘柄欄６４とが印字されている。
市場見出し欄６１は、「東京第１部」などの紙面９が記載対象とする市場を示す見出しであり、他には「東京第２部」、「ジャスダック」などが存在する。
紙面日付欄６２は、紙面９が記載対象とする株価の取引日付が印字される。この日付は、通常は新聞の配達日の前日である。
業種見出し欄６３は、「東京第１部」などの市場の銘柄リストを、業種ごとにグループ化するための見出しである。
個別銘柄欄６４は、業種見出し欄６３でグループ化された銘柄リストである。
【００３２】
株情報提供装置２の管理者は、例えば以下のようにして紙面９に記載の各情報をデータとして株情報提供装置２に登録する。
紙面特定用データ２３は、市場見出し欄６１の市場名称と、紙面日付欄６２の日付文字列との組み合わせの文字列とする。紙面特定部１３は、前記した組み合わせの文字列を撮影データ１２からＯＣＲ（Optical Character Recognition）で認識する。そして、紙面特定部１３は、ＯＣＲで認識した文字列を、紙面特定用データ２３であらかじめ登録されている文字列から検索することにより、複数存在する紙面９のうちの現在閲覧しているのがどの紙面なのかを特定する。
【００３３】
ここで、紙面特定部１３は、例えば、紙面９の新聞や雑誌の媒体名のＯＣＲ認識処理を行う代わりに、事前に設定された利用者の新聞契約データ（例えば日経新聞を定期購読しているなど）を読み込んでもよい。
または、紙面特定部１３は、株情報閲覧装置１に設定された時計の日時データ（例えば本日５月１日の朝刊を閲覧しているなど）や、利用者から手入力されたデータ（現在は５月１日の朝刊を閲覧しているなど）を活用してもよい。
【００３４】
紙面マーカ２４は、例えば、市場見出し欄６１の「東京第１部」という白抜き文字列だけでなく、その周囲を囲む黒枠も含めた市場見出し欄６１の全体とする。このように、白抜きの文字列と周囲の黒枠とはコントラスト比率が大きいため、平面検出部１４による紙面９の平面検出処理に適している。さらに、紙面マーカ２４として、市場見出し欄６１の代わりに業種見出し欄６３を用いてもよく、市場見出し欄６１と業種見出し欄６３とを併用してもよく、市場見出し欄６１と業種見出し欄６３と除く領域（個別銘柄欄６４）なども含めてもよい。
【００３５】
以下、平面検出部１４による紙面９の平面検出処理について説明する。
画像処理の分野では、撮影データ１２から注目する物体を追跡するトラッキングの技術が研究されている。なお、トラッキングの精度を高めるとともに、スマートフォンなどの低性能な計算機でも実現できるように、トラッキングの計算量を少なくすることも重要である。そこで、平面検出部１４による紙面９の平面検出処理として、例えば以下に例示する（手法１）または（手法２）のアルゴリズムを用いることが望ましい。
【００３６】
（手法１）特徴点ベースのトラッキングについて、説明する。平面検出部１４は、あらかじめ追跡対象である紙面マーカ２４の市場見出し欄６１や業種見出し欄６３から、輝度差が大きいエッジノードなどの局所特徴点を抽出しておく。これらの局所特徴点は、例えば、ＳＩＦＴ（Scale Invariant Feature Trans-form）やＳＵＲＦ（Speed Up Robust Features）などが知られている。次に、平面検出部１４は、現在の撮影データ１２についても同様に局所特徴点を抽出する。
そして、平面検出部１４は、撮影データ１２の局所特徴点と、紙面マーカ２４の局所特徴点とをマッチング（突合）することにより、紙面マーカ２４上の各局所特徴点がそれぞれ撮影データ１２内のどの位置に撮影されているのかを特定する。これにより、現在の撮影データ１２を撮影したときの紙面撮影部１１（カメラデバイス９３）の位置姿勢データが特定されるとともに、現在の撮影データ１２に写っている紙面９の平面を検出することができる。
【００３７】
（手法２）領域ベースのトラッキングについて、説明する。平面検出部１４は、あらかじめ追跡対象である紙面マーカ２４の市場見出し欄６１や業種見出し欄６３の領域全体から、色情報の分布（ヒストグラム）などを特徴量として検出する。次に、平面検出部１４は、現在の撮影データ１２についても撮影データ１２の一部である領域ごとに、色情報の分布などを特徴量として検出する。
そして、平面検出部１４は、それぞれ検出した特徴量で同一関係または類似関係にある領域の組み合わせを求めることにより、現在の撮影データ１２に写っている紙面９の平面を検出することができる。このような領域ベースのトラッキングアルゴリズムは、例えば、「Mean-Shift法」として知られている。
【００３８】
なお、（手法２）の領域全体の特徴量として、前記した色分布を用いる代わりに、領域の幾何学的情報（図形情報）を用いてもよい。例えば、平面検出部１４は、市場見出し欄６１や業種見出し欄６３の黒枠は横長の長方形である。よって、長方形の４辺や４角度の特徴を紙面マーカ２４と撮影データ１２とからそれぞれ抽出しておき、それらの変形度合いをもとに、紙面撮影部１１（カメラデバイス９３）の位置姿勢データを特定してもよい。例えば、撮影データ１２に撮影されている市場見出し欄６１の２長辺について手前側の辺が奥側の辺よりも長いときに（換言すると長方形が台形に変形したときに）、その辺の比率に応じて手前側に（例えば上方4時の方向から）カメラを傾けた位置姿勢データが推定される。
【００３９】
（手法１）や（手法２）で説明したような物体を追跡するトラッキングの実装を容易にするためのライブラリもいくつか公開されている。例えば、Qualcomm社が提供するVuforia（登録商標）のライブラリでは、ユーザに指定させる追跡対象（User Defined Targets）を親オブジェクト（紙面マーカ２４）とし、その親オブジェクトの位置の近傍位置（紙面マップ２５で指定した位置）に配置するＣＧを子オブジェクト（表示用データ２６）として、それぞれ利用者に登録させる。これにより、Vuforiaをライブラリとして呼び出す紙面拡張表示部１５は、撮影データ１２に写っている親オブジェクトを検知すると、その子オブジェクトを重ねて表示する。
【００４０】
さらに、Vuforiaのライブラリでは、撮影データ１２から追跡対象を検出した後に、カメラの向きの変更などにより追跡対象が撮影データ１２の範囲外になってしまっても、株情報閲覧装置１のジャイロセンサから得られる偏向（傾き）などの情報をもとに、リアルタイムに追跡対象を追跡する「Extended Tracking」の機能も備わっている。よって、平面検出部１４は、撮影データ１２から追跡対象を検出する処理を、この「Extended Tracking」などで補正（強化）することができる。
以上、平面検出部１４による紙面９の平面検出処理について説明した。
【００４１】
図５は、紙面マップ２５の構成図である。
紙面マップ２５は、個別銘柄欄６４の各銘柄に関する情報を紙面９に重ねて紙面拡張表示部１５に表示させるときの、紙面９の平面における銘柄ごとの表示位置を示す情報である。例えば、図５の紙面マップ２５では、各銘柄の表示位置について、市場見出し欄６１を原点（x,y）＝（0,0）としたときの相対位置と、業種見出し欄６３ごとに、その業種見出し欄６３を原点（0,0）としたときの相対位置とを併せて登録している。
これにより、現在の撮影データ１２に市場見出し欄６１だけ写っていたときには、その市場見出し欄６１からの相対位置で各銘柄の表示位置を決定できる。同様に、現在の撮影データ１２に特定の業種見出し欄６３だけ写っていたときには、その業種見出し欄６３からの相対位置で各銘柄の表示位置を決定できる。
【００４２】
さらに、図５では省略したが、各銘柄の表示位置だけでなく、市場見出し欄６１を原点（0,0）としたときの、その市場見出し欄６１が含まれる紙面９の領域全体の位置も併せて紙面マップ２５に登録しておいてもよい。紙面拡張表示部１５は、各種表示データを紙面９の領域位置内に収まるように表示することで、紙面９と表示データとの関連性を利用者に把握させることができる。
【００４３】
図６は、表示用データ２６の構成図である。
表示用データ２６は、紙面９に重ねて紙面拡張表示部１５に表示させる個別銘柄欄６４の各銘柄に関する情報である。
表示用データ２６は、銘柄ごとに、その個別銘柄欄６４に記載の株価データ（始値、高値、安値、終値、前日比、売買高）に加え、ROE（Return On Equity）などの財務データや、ニュース件数などのニュースデータも併せて登録してもよい。つまり、もともと紙面９に記載されたデータだけでなく、紙面９に記載されていないデータも関連づけて、紙面９に重ね合わせて株情報閲覧装置１に表示される。
【００４４】
図７は、紙面９を遠くから俯瞰したときの株情報閲覧装置１の表示画面例である。
紙面拡張表示部１５は、紙面９に重ね合わせる表示用データ２６として、各銘柄の株価データを、各銘柄の記載の近傍に配置する。１つの株価データは、１本の四角柱（以下、株価バー）とする。株価バーの高さは株価の数値を示しており、株価が高いほど、Ｚ軸方向（紙面９の平面に対して垂直方向）に株価バーが長く伸びる。
つまり、各株価バーを構成する高さ方向の線分は、検出された平面に対して垂線となり、その垂線と検出された平面との交点が紙面マップ２５が示す位置となるように配置される。
そして、図７のように、多くの株価バーを見渡せるように株情報閲覧装置１を紙面９から遠ざけることにより、市場全体の株価の動向などの大まかな情報を直観的に得ることができる。
【００４５】
図８は、図７に対して、株情報閲覧装置１を紙面９に近づけたときの表示画面例である。ここでは、紙面拡張表示部１５は、株価バーの高さを例えば３段階に区切り、低い株価バーには白色、中くらいの株価バーには灰色、高い株価バーには黒色というように、株価バーを着色するように表示している。
これにより、お互いに株価が似ている銘柄どうしを色情報でグループ化することで、より直感的に株価の動向を把握しやすくなる。なお、紙面拡張表示部１５による株価バーの表示形態については、以下に例示するように事前に株情報閲覧装置１に設定しておいてもよい。
【００４６】
さらに、株価バーの表示について、以下に例示するように、利用者にとってわかりやすくするための表示処理としてもよい。
例えば、各株価バーがどの銘柄についてのものかをわかりやすくするため、銘柄を示す文字情報を株価バーの上に表示させてもよい。
また、株価バーの立体図形として、四角柱だけでなく、円柱などのさまざまな図形を用いてもよい。または、株価バーの表示色として、単色でもよいし、前記したように高さの範囲ごとにグループ化してもよい。
さらに、図９で示すように、１本の株価バーの表示色を、低い部分の色と、中くらいの部分の色と、高い部分の色とを別々にする（等高型の表示色にする）ようにしてもよい。
【００４７】
図１０は、操作受付部１６が受け付ける各種操作と、その操作内容に応じて変化する表示画面の説明図である。
まず、図１０左上の初期状態１１０について説明する。初期状態１１０では、図７〜図９で説明した表示画面の銘柄表示領域１１１に加え、操作を受け付けるＧＵＩ（Graphical User Interface）として、絞り込みスライド１１２と、高さ倍率ダイアル１１３と、データ選択ボタン１１４とが配置されている。これらのＧＵＩパーツは、例えば銘柄表示領域１１１の左下側に集中して配置されており、親指を使った片手操作が容易である。
【００４８】
操作受付部１６は、この銘柄表示領域１１１に対して左から右（またはその逆）に指をスワイプする操作を受け付けると、紙面拡張表示部１５は、表示用データ２６として用いるデータの該当日時を変更する。
例えば、操作受付部１６は、未来の方向として、左から右にスワイプする操作を受け付けると、紙面拡張表示部１５は、現在表示している株価バーの対象日時を１日分後のデータへと更新する。逆に、操作受付部１６は、過去の方向として、右から左にスワイプする操作を受け付けると、紙面拡張表示部１５は、現在表示している株価バーの対象日時を１日分前のデータへと更新する。
【００４９】
さらに、「今週の月曜から金曜まで」のように表示対象の期間を受け付けると、紙面拡張表示部１５は、株価バーの対象日時を過去または未来に向かって更新し続ける連続表示（タイムラプス表示）を行う。または、表示対象の期間として、前日などの日付を固定して、その日の始値から終値までの取引時間中の株価推移を連続表示させてもよい。
このように、紙面拡張表示部１５は、１つの該当日時の表示だけでなく、その前後の日時の株価バーを表示することで、株価の時間変化をわかりやすく利用者に伝えることができる。換言すると、紙面９の弱点である時系列の情報を、ＡＲの拡張表示が補完することができる。なお、この連続表示を実現するために、表示用データ２６も時系列の株価情報としてあらかじめ用意しておく必要がある。
【００５０】
次に、図１０右上の条件変更状態１２０について説明する。操作受付部１６は、初期状態１１０から絞り込みスライド１１２に対して操作を受け付けると、条件変更状態１２０に遷移する。ここでは、絞り込みスライド１１２の上限値スライド１１２ａと下限値スライド１１２ｂとがそれぞれ指をスワイプする操作により引き上げられたとする。
【００５１】
紙面拡張表示部１５は、変更後の絞り込みスライド１１２の上限値スライド１１２ａから下限値スライド１１２ｂまでの範囲に該当する株価バーを銘柄表示領域１２１に残しつつ、その範囲に該当しない株価バーを銘柄表示領域１２１から削除する。なお、図１０では、株価バーの高さ情報として、株価の代わりに、前々日から前日までなどの連続する２日間における比較変化率（騰落率、単位は％）を割り当てている。
つまり、絞り込みスライド１１２を介して指定された絞り込み条件により、銘柄表示領域１２１の株価バーが絞り込まれる。利用者は、このようにして株価バーを絞り込むことにより、所望の銘柄を効率よく見つけることができる。または、紙面拡張表示部１５は、以下に例示するように、絞り込みスライド１１２以外の条件で絞り込まれた銘柄だけを表示対象としてもよい。
・利用者から事前に登録された保有銘柄を表示する。
・利用者から入力された名称の銘柄を表示する。
・利用者から入力された業種に合致する銘柄を表示する。
【００５２】
次に、図１０左下の株価バー（棒）の高さ変更状態１３０について説明する。操作受付部１６は、初期状態１１０から高さ倍率ダイアル１１３に対して操作を受け付けると、高さ変更状態１３０に遷移する。ここでは、高さ倍率ダイアル１１３の倍率アイコン１１３ａが、指をスワイプする操作により下げられたとする。
紙面拡張表示部１５は、変更後の倍率アイコン１１３ａに該当する倍率で、銘柄表示領域１３１の各株価バーの高さを一律に変更する。この倍率アイコン１１３ａは、高さ倍率ダイアル１１３の下限である０倍（×０）から上限である１０倍（×１０）まで、９０度の円弧上で変更可能である。なお、倍率アイコン１１３ａで０倍が指定されたときには、株価バーを表示する代わりに、図１１，図１２で後記するヒートマップ表示となる。
【００５３】
図１１は、高さ倍率ダイアル１１３で倍率０倍が指定されたときのヒートマップ表示の表示画面例である。
図１２は、図１１のヒートマップ表示の平面図である。
紙面拡張表示部１５は、銘柄ごとの６つの株価データ（始値、高値、安値、終値、前日比、売買高）の印字欄に、ヒートマップを重ねて表示する。
なお、図１１，図１２では、６つの株価データのすべてをヒートマップ形式にして表示したが、あらかじめ設定した１つの株価データだけをヒートマップ形式にしてもよく、そのヒートマップ形式にする株価データを、利用者に切り替えさせてもよい（表示の詳細を設定させる説明は、後記する）。
ここで、ヒートマップの熱量を示す各表示色は、例えば、データの数値が低いほど薄い濃度（または低温を示す青色）で、データの数値が高いほど濃い濃度（または高温を示す赤色）で表示される。
これにより、個別銘柄の高低の把握だけでなく、水産産業は低調だが、鉱業産業は好調である、などの業種ごとの多くの銘柄の全体的な傾向を、一目で利用者に把握させることができる。
【００５４】
図１０に戻って、図１０右下の表示データ切換状態１４０について説明する。操作受付部１６は、初期状態１１０からデータ選択ボタン１１４がタップされると、銘柄表示領域１４１の各株価バーをタップされた各ボタンが示す表示用データ２６のデータ内容に切り換える。図１０では、データ選択ボタン１１４として、株価データ選択ボタン１１４ａと、財務データ選択ボタン１１４ｂと、ニュースデータ選択ボタン１１４ｃとを例示している。
そして、財務データ選択ボタン１１４ｂがタップされたので、銘柄表示領域１４１には、財務データ（図６の表示用データ２６のＲＯＥを示す銘柄ごとの棒グラフ）が新たに表示される。
【００５５】
なお、操作受付部１６は、株価データ選択ボタン１１４ａのタップを受け付けると、ポップアップされるサブメニューとして、以下のような表示の詳細を利用者に選択させる。
・６つの株価データ（始値、高値、安値、終値、前日比、売買高）のうちのどのデータを表示するか
・バーの高さに反映する表示単位はどうするか（株価などの絶対値とするか、２日間の比較変化率（騰落率）などの相対値とするか）
・データ値をそのまま高さに反映させるか、それとも、データ値を指数化した値を高さに反映させるか
これらのサブメニューの指定内容は、紙面拡張表示部１５が銘柄表示領域１４１に表示する内容に反映される。
【００５６】
ここで、株価データが反映された棒グラフ（株価バー）がタップされると、紙面拡張表示部１５は、そのタップされた銘柄についての追加表示用データ３１として、追加情報提供装置３が提供するインターネット上の株価詳細画面へのリンクを表示してもよい。株価詳細画面とは、例えば、前日の始値から終値までの、ローソク足が記載された株価チャートなどである。または、そのタップされた銘柄についての追加表示用データ３１として、契約先オンライン証券会社の株購入注文画面へのリンクを表示してもよい。
これにより、利用者は、株情報閲覧装置１に表示された金融情報から、インターネット上のWebサイトへ容易に画面移動できる。よって、利用者は紙面に印字された金融情報を起点（ポータルサイト）として、インターネット上の情報サイトや取引サービスを継ぎ目なく利用することができる。
【００５７】
また、操作受付部１６は、財務データ選択ボタン１１４ｂのタップを受け付けると、ポップアップされるサブメニューとして、複数存在する決算指標・財務指標のうちのどのデータを表示するかを利用者に選択させる。
例えば、表示の候補として、PER（Price earnings ratio）、PBR（Price Book-Value Ratio）、EPS（Earnings Per Share）、ROE（Return On Equity）、ROA（Return on total asset）、EVITDA（Earnings Before Interest,Taxes,Depreciation and Amortization）が例示される。
ここで、財務データが反映された棒グラフがタップされると、紙面拡張表示部１５は、そのタップされた銘柄についての追加表示用データ３１として、インターネット上の企業財務詳細画面へのリンクを表示してもよい。これにより、利用者は、株情報閲覧装置１に表示された財務データの集合から、注目する銘柄についてのインターネット上の詳細画面へ容易に画面移動できる。
【００５８】
さらに、操作受付部１６は、ニュースデータ選択ボタン１１４ｃのタップを受け付けると、ポップアップされるサブメニューとして、抽出対象期間を利用者に指定させる画面を表示する。この画面で指定される抽出対象期間は、銘柄ごとの過去のニュース（記事）の件数を抽出するときの対象期間であり、例えば、前日、前々日、過去一週間、過去1ヶ月間、…などの期間の候補から選択させる。
ここで、ニュースデータの件数が反映された棒グラフがタップされると、紙面拡張表示部１５は、そのタップされた銘柄についての追加表示用データ３１として、インターネット上の各ニュースデータへのリンク（または記事の有無、掲載ページ、見出しなど）を列挙したサブメニューを表示してもよい。または、タップされた銘柄の代わりに、保有銘柄などのユーザが登録した銘柄を表示対象としてもよい。これにより、利用者は、注目する銘柄についてのインターネット上の各ニュース画面へ容易に画面移動できる。
そして、紙面拡張表示部１５は、ニュースデータへのリンクを列挙したサブメニューを表示するときに、各銘柄に対して個別に事前登録しておいたキャラクターの画像や映像をポップアップ表示し、そのキャラクターが各ニュースの見出しを話しているように吹き出し表示してもよい。
【００５９】
以上説明した本実施形態では、利用者は、株情報閲覧装置１を介して、紙面９に記載された株式欄の情報だけでなく、その紙面９の平面に拡張現実サービスとして生成された銘柄に関する詳細な情報に手軽にアクセスできる。
これにより、コンピュータの操作に不慣れな初心者であっても、慣れ親しんだ紙面９をベースにして、インターネット上の銘柄に関するサービスをシームレスに利用することができる。
【００６０】
さらに、新聞の見開きはA1サイズ（60cm×85cm）と広範囲であり、一覧性に優れている。また、スマートフォンからアクセス可能なインターネット上のデータは、市場の動向により随時更新されるので、速報性に優れている。
よって、利用者は、株情報閲覧装置１を介して、紙面９の全体を閲覧することで注目する銘柄を見つけた後、その銘柄の詳細画面を参照する。これにより、利用者は、紙面９の得意な一覧性と、スマートフォンの得意な速報性の両方の長所を兼ね備えた金融情報サービスを受けることができる。
【００６１】
なお、本実施形態においては、本発明に係る株情報閲覧装置１（金融情報表示装置）を独立した装置として説明したが、これに限定されない。例えば、本発明では、一般的なコンピュータのハードウェア資源を、金融情報表示装置の各手段として動作させるプログラム（金融情報表示プログラム）によって実現することができる。また、このプログラム（金融情報表示プログラム）は、通信回線を介して配布したり、ＣＤ−ＲＯＭ等の記録媒体に記録して配布したりすることも可能である。
【符号の説明】
【００６２】
１      株情報閲覧装置（金融情報表示装置）
２      株情報提供装置
３      追加情報提供装置
９      紙面
１１    紙面撮影部
１２    撮影データ
１３    紙面特定部
１４    紙面平面検出部
１５    紙面拡張表示部
１６    操作受付部
２３    紙面特定用データ
２４    紙面マーカ
２５    紙面マップ
２６    表示用データ
３１    追加表示用データ
【図１】
2018195233.tif 000003
【図２】
2018195233.tif 000004
【図３】
2018195233.tif 000005
【図４】
2018195233.tif 000006
【図５】
2018195233.tif 000007
【図６】
2018195233.tif 000008
【図７】
2018195233.tif 000009
【図８】
2018195233.tif 000010
【図９】
2018195233.tif 000011
【図１０】
2018195233.tif 000012
【図１１】
2018195233.tif 000013
【図１２】
2018195233.tif 000014